(57)【要約】      （修正有）【課題】ゴルフティーとしての基本機能を損なうことなく、身に着けた際の見た目が良好なゴルフティーを提供する。【解決手段】ゴルフティー１は、ゴルフボールを載置可能な載置表面部分１１を有する載置部１０と、載置部１０から軸線Ｌに沿って細長く延びる脚部２０とを備える。載置表面部分１１は、軸線Ｌに対して回転対称に整列する複数の載置片１２からなる。載置表面部分１１が複数の載置片１２からなるため、それぞれの枠取られた載置片１２に立体感があり、さらに複数集まっていることで全体的にも華やかなイメージとなる。【選択図】図１
0003225338.tif 000002
【実用新案登録請求の範囲】
【請求項１】
ゴルフボールを載置可能な載置表面部分を有する載置部と、
前記載置部から軸線に沿って細長く延びる脚部と、を備え、
前記載置表面部分は、前記軸線に対して回転対称に整列する複数の載置片からなることを特徴とするゴルフティー。
【請求項２】
前記載置片は、凹表面と当該凹表面を囲む凸表面とを有することを特徴とする請求項１に記載のゴルフティー。
【請求項３】
前記載置表面部分は、４つの前記載置片からなり、
前記載置片は、ハート形状の外形を有することを特徴とする請求項２に記載のゴルフティー。
【請求項４】
前記載置表面部分は、５つの前記載置片からなり、
前記載置片は、桜の花弁形状の外形を有することを特徴とする請求項２に記載のゴルフティー。
【請求項５】
前記凸表面は、前記ゴルフボールの表面形状に倣った曲面であることを特徴とする請求項２〜４のいずれか一項に記載のゴルフティー。
【請求項６】
前記載置片の縁は、前記軸線に近い側において隣接する載置片と近接しており、前記軸線から遠い測において前記隣接する載置片から離れていることを特徴とする請求項１〜４のいずれか一項に記載のゴルフティー。
【請求項７】
ポリブチレンサクシネート（ＰＢＳ）系の生分解性プラスチック素材であることを特徴とする請求項１〜６のいずれか一項に記載のゴルフティー。
【請求項８】
前記生分解プラスチック素材として、少なくとも、ノーマルグレードの生分解性プラスチック素材と耐衝撃性グレードの生分解性プラスチック素材とがブレンドされていることを特徴とする請求項７に記載のゴルフティー。
【請求項９】
前記耐衝撃性グレードの生分解性プラスチック素材は、前記ノーマルグレードの生分解性プラスチック素材の５〜５０重量％であることを特徴とする請求項８に記載のゴルフティー。
【考案の詳細な説明】
【技術分野】
【０００１】
本考案は、ゴルフ競技に用いられるゴルフティーに関する。
【背景技術】
【０００２】
ゴルフ競技において、ゴルフボールを地面から浮かした位置で支持するためにゴルフティーが用いられる。従来の第１のゴルフティーとして、ゴルフボールを円形の載置表面部分で載置するタイプが知られている（例えば、特許文献１参照）。また、従来の第２のゴルフティーとして、ゴルフボールを複数の線状突起先端で載置するタイプが知られている（例えば、特許文献２参照）。
【０００３】
図８は、従来の第１のゴルフティー８０１の斜視図である。
図９は、従来の第２のゴルフティー９０１の斜視図である。
【０００４】
従来の第１のゴルフティー８０１は、図８に示すように、ゴルフボールＢを載置するための載置部８１０と、自立させるために地面に差し込まれる細長く延びた脚部８２０とを備える。ゴルフティー８０１の載置部８１０の載置表面部分８１１は、すり鉢状に形成されており、円形の外形形状を有している。ゴルフティー８０１は、載置部８１０の載置表面部分８１１の表面全面又は載置表面部分８１１の周縁でゴルフボールＢを支持することができる。
【０００５】
また、従来の第２のゴルフティー９０１は、図９に示すように、ゴルフボールＢを載置するための載置部９１０と、自立させるために地面に差し込まれる細長く延びた脚部９２０とを備える。ゴルフティー９０１の載置部９１０の載置表面部分９１１は、周囲から突き出す複数の線状突起９１２を有している。ゴルフティー９０１は、載置表面部分９１１の複数の線状突起９１２の先端でゴルフボールＢを支持することができる。
【先行技術文献】
【特許文献】
【０００６】
【特許文献１】特開２００９−２５４８１５号公報
【特許文献２】特開２０１９−１８１２０８号公報
【考案の概要】
【考案が解決しようとする課題】
【０００７】
ゴルフティーは、ゴルフウェアのポケットやポーチ等に入れられてゴルフプレーヤーにより常に持ち運ばれ、プレー中に頻繁に用いられる。近年、タイトなゴルフウェアを着用する女性ゴルフプレーヤーからはゴルフティーをポケットに入れたくないという要望があった。また、ポケットやポーチにゴルフティー以外の用具も入れているゴルフプレーヤーからは、所望のゴルフティーをすぐに取り出したいという要望があった。このような要望を有するゴルフプレーヤーに対して、本願考案者は、ゴルフティーの脚部を身体やゴルフウェアの一部に差し込んで（以下「身に着け」と表現する。）ゴルフティーを持ち運ぶことを提案しようとしていた。
【０００８】
しかしながら、従来の第１のゴルフティーや従来の第２のゴルフティーにおいては、身に着けた際の見た目が良好ではない、という課題があった。
【０００９】
本考案は、かかる課題に鑑みてなされたものであり、ゴルフティーとしての基本機能を損なうことなく、身に着けた際の見た目が良好なゴルフティーを提供することを主目的とする。
【課題を解決するための手段】
【００１０】
［１］本考案に係るゴルフティーは、ゴルフボールを載置可能な載置表面部分を有する載置部と、載置部から軸線に沿って細長く延びる脚部と、を備え、載置表面部分は、軸線に対して回転対称に整列する複数の載置片からなることを特徴とする。
【００１１】
本考案に係るゴルフティーによれば、ゴルフボールを載置可能な載置部と軸線に沿って細長く延びる脚部とを備えるため、脚部を地面に差し込んで載置部でゴルフボールを載置できることから、地面から浮かした位置でゴルフボールを支持することができる。
【００１２】
また、本考案に係るゴルフティーによれば、載置表面部分が複数の載置片からなるため、それぞれの枠取られた載置片に立体感があり、さらも複数集まっていることで全体的にも華やかなイメージとなることから、見た目に優れた意匠性を発揮できる。
【００１３】
また、本考案に係るゴルフティーによれば、載置表面部分が軸線に対して回転対称に整列した複数の載置片を有するため、載置片によるゴルフボールの支持に偏りがないことから、ゴルフボールを安定させて支持することができる。
【００１４】
その結果、本考案に係るゴルフティーは、ゴルフティーとしての基本機能を有し、身に着けた際の見た目が良好なゴルフティーとなる。
【００１５】
［２］本考案に係るゴルフティーにおいては、載置片は、凹表面と当該凹表面を囲む凸表面とを有することが好ましい。
【００１６】
このように構成すれば、より立体感が増し、より意匠性に優れたゴルフティーにすることができる。
【００１７】
［３］本考案に係るゴルフティーにおいては、好ましい一形態として、載置表面部分は、４つの載置片からなり、載置片は、ハート形状の外形を有するようにすればよい。
【００１８】
このような構成によれば、載置表面部分全体で四葉のクローバーのイメージを表現できるため、より意匠性に優れたゴルフティーにすることができる。
【００１９】
［４］本考案に係るゴルフティーにおいては、好ましい一形態として、載置表面部分は、５つの載置片からなり、載置片は、桜の花弁形状の外形を有するようにすればよい。
【００２０】
このような構成によれば、載置表面部分全体で桜の花のイメージを表現できるため、より意匠性に優れたゴルフティーにすることができる。
【００２１】
［５］本考案に係るゴルフティーにおいては、凸表面は、ゴルフボールの表面形状に倣った曲面であることが好ましい。
【００２２】
このような構成によれば、載置表面部分における各載置片の凸表面がゴルフボールに密着するため、ゴルフボールをより安定させて支持可能なゴルフティーにすることができる。
【００２３】
［６］本考案に係るゴルフティーにおいては、載置片の縁は、軸線に近い側において隣接する載置片と近接しており、軸線から遠い測において隣接する載置片から離れていることが好ましい。
【００２４】
このような構成によれば、載置表面部分が凹凸のある外形形状になるため、載置面側から見て華やかなイメージとなることから、より意匠性に優れたゴルフティーにすることができる。
【００２５】
［７］本考案に係るゴルフティーにおいては、ポリブチレンサクシネート（ＰＢＳ）系の生分解性プラスチック素材であることが好ましい。
【００２６】
このような構成によれば、ゴルフ場で紛失してしまった場合でも自然分解されるため、環境にやさしいゴルフティーにすることができる。また、このような構成によれば、ゴルフティーとしての十分な強度となるため、簡単に破損しないゴルフティーにすることができる。
【００２７】
［８］本考案に係るゴルフティーにおいては、生分解プラスチック素材として、少なくとも、ノーマルグレードの生分解性プラスチック素材と耐衝撃性グレードの生分解性プラスチック素材とがブレンドされていることが好ましい。
【００２８】
［９］その際、耐衝撃性グレードの生分解性プラスチック素材は、ノーマルグレードの生分解性プラスチック素材の５〜５０重量％であることが好ましい。
【００２９】
このような構成によれば、ノーマルグレードの生分解性プラスチック素材のみの場合と比べ、多少成形性は犠牲となるものの、耐衝撃性グレードの成分により耐衝撃が高まりゴルフクラブによる衝撃を吸収しやすくなるため、より破損し難いゴルフティーにすることができる。
【考案の効果】
【００３０】
本考案によれば、ゴルフティーとしての基本機能を損なうことなく、身に着けた際の見た目が良好なゴルフティーを提供することができる。
【図面の簡単な説明】
【００３１】
【図１】実施形態１に係るゴルフティー１の斜視図である。
【図２】実施形態１に係るゴルフティー１の平面図である。
【図３】実施形態１に係るゴルフティー１の正面図である。
【図４】図２のＡ−Ａ断面図である。
【図５】実施形態１に係るゴルフティー１をゴルフプレーヤーＰが身に着けた際の一例を示す図である。
【図６】実施形態２に係るゴルフティー１０１の斜視図である。
【図７】実施形態２に係るゴルフティー１０１の平面図である。
【図８】従来の第１のゴルフティー８０１の斜視図である。
【図９】従来の第２のゴルフティー９０１の斜視図である。
【考案を実施するための形態】
【００３２】
以下に図面を参照して本考案の一実施形態であるゴルフティーを説明するが、本考案は、この実施形態に限定されるものではない。なお、各図面は必ずしも実際の寸法や細部までを厳密に反映したものではない。
【００３３】
（実施形態１）
［１−１．実施形態１に係るゴルフティーの構成］
図１は、実施形態１に係るゴルフティー１の斜視図である。
図２は、実施形態１に係るゴルフティー１の平面図である。
図３は、実施形態１に係るゴルフティー１の正面図である。
図４は、図２のＡ−Ａ断面図である。
【００３４】
実施形態１のゴルフティー１は、ゴルフ競技において、ゴルフボールを地面から浮かした位置で支持するための器具である。ゴルフティー１は、図１〜４に示すように、ゴルフボールＢを載置するための載置部１０と、載置部１０から軸線Ｌに沿って細長く延びる脚部２０とを備えている。ゴルフティー１は、ゴルフ競技に用いられる際、地面に脚部２０を差し込まれて自立し、自立した状態で載置部１０上にゴルフボールＢを載置可能に構成されている（図４参照）。ゴルフティー１は、ポリブチレンサクシネート（ＰＢＳ）系の生分解性プラスチック素材により形成されている。ゴルフティー１の素材については、後述する。
【００３５】
載置部１０は、一方側において、ゴルフボールＢを載置可能な載置表面部分１１を有している。載置部１０は、載置表面部分１１から他方側にいくに従って徐々に細くなり、脚部２０になだらかに繋がっている。
【００３６】
載置表面部分１１は、軸線Ｌに対して回転対称に整列した４つの載置片１２からなっている。すなわち、各載置片１２は、隣接する載置片に対し、軸線Ｌを中心に９０°回転対称位置にある。各載置片１２は、軸線Ｌに近い側の２つの直線状の縁（以下「内側の縁」と記載する。）と、軸線Ｌに遠い側の２つの半円状の縁（以下「外側の縁」と記載する。）と、が組み合わされ、ハート形状の外形を有している。各載置片１２は、内側の縁が隣接する載置片（１２）の内側の縁とわずかな幅の溝を介して近接しており、外側の縁が隣接する載置片（１２）から離れている。これにより、載置表面部分１１は、４つの載置片１２の半円状の縁が繋がったような凹凸のある外形形状となっている。各載置片１２は、凸表面１２ａと凹表面１２ｂとを有している。各載置片の凸表面１２ａは、凹表面１２ｂの全周囲を囲っており、ゴルフボールＢの表面形状に倣った曲面となっている。このような、ハート形状の載置片１２からなる載置表面部分１１は、全体的には四葉のクローバーに見える外観形状となっている（図２参照）。なお、載置表面部分１１は、凸表面１２ａに、タンポ印刷、シルク印刷、若しくはインクジェット印刷等の表面印刷でカラーリングが施されており、鮮やかさと凹凸感が増し、より四葉のクローバーに見える形態となっている。
【００３７】
載置部１０の側面１３は、なるべく応力集中しないよう、載置表面部分１１の外形稜線から脚部２０の外形稜線にかけてなだらかに傾斜している（図３等参照）。載置部１０の側面１３は、載置表面部分１１の外形形状に倣って、一部凹凸形状となっている（図３等参照）。載置部１０の中央には、載置表面部分１１側が開口する深穴１４が形成されている（図４等参照）。深穴１４は、樹脂成形におけるヒケ防止として機能するとともに、優れた意匠性をサポートしている。
【００３８】
脚部２０は、載置部１０の載置表面部分１１側の反対側（自立状態においては下側）から軸線Ｌに沿って細長く延びている。脚部２０は、先端部が地面Ｇに差し込みやすいやすいよう、尖っている（図４参照）。
【００３９】
ゴルフティー１は、樹脂成形により形成されている。前述したように、ゴルフティー１の素材には、ポリブチレンサクシネート（ＰＢＳ）系の生分解性プラスチックが採用されている。具体例として、ピーティーティー  エムシーシー  バイオケム  カンパニー  リミテッド製生分解性プラスチックのノーマルグレードであるＢｉｏＰＢＳ（登録商標）のＦＺ７１は、ゴルフティーとしての強度と成形性とのバランスがよく、主素材として適している。また、ＦＺ７１のみの場合と比較して多少成形性を犠牲にしてしまうが、ＦＺ７１に同社製生分解性プラスチックの耐衝撃性グレードであるＢｉｏＰＢＳ（登録商標）のＦＺ７２を５〜５０重量％の範囲で適宜ブレンドすると、ゴルフクラブによる衝撃をより吸収することができ、ゴルフティー１を折れにくくすることができる。
【００４０】
［１−２．実施形態１に係るゴルフティーの使用方法］
図５は、実施形態１に係るゴルフティー１をゴルフプレーヤーＰが身に着けた際の一例を示す図である。
【００４１】
ゴルフティー１は、例えば、図５に示すように、載置部１０の載置表面部分１１を露出させるようにして、ゴルフプレーヤーＰの束ねた後ろ髪に脚部２０が差し込まれることで、ゴルフプレーヤーＰに身に着けられ、持ち運ばれる。このように身に着けられたゴルフティー１は、載置表面部分１１によって、ゴルフプレーヤーＰの頭部を華やかに演出している。ゴルフティー１のティーとしての使用方法は、従来と同様（図４参照）であるため、説明を省略する。
【００４２】
［１−３．実施形態１に係るゴルフティーの作用・効果］
ゴルフティー１によれば、ゴルフボールＢを載置可能な載置部１０と軸線Ｌに沿って細長く延びる脚部２０とを備えるため、脚部２０を地面Ｇに差し込んで載置部１０でゴルフボールＢを載置できることから、地面Ｇから浮かした位置でゴルフボールＢを支持することができる。
【００４３】
また、ゴルフティー１によれば、載置表面部分１１が複数の載置片１２からなるため、それぞれの枠取られた載置片１２に立体感があり、さらも複数集まっていることで全体的にも華やかなイメージとなることから、見た目に優れた意匠性を発揮できる。
【００４４】
また、ゴルフティー１によれば、載置表面部分１１が軸線Ｌに対して回転対称に整列した複数の載置片１２を有するため、載置片１２によるゴルフボールＢの支持に偏りがないことから、ゴルフボールＢを安定させて支持することができる。
【００４５】
その結果、ゴルフティー１は、ゴルフティーとしての基本機能を有し、身に着けた際の見た目が良好なゴルフティーとなる。
【００４６】
また、ゴルフティー１によれば、載置片１２が凹表面１２ｂと凹表面１２ｂを囲む凸表面１２ａとを有するため、より立体感が増し、より優れた意匠性を発揮できる。
【００４７】
また、ゴルフティー１によれば、載置表面部分１１が４つの載置片１２からなり、載置片１２がハート形状の外形を有するため、載置表面部分１１全体で四葉のクローバーのイメージを表現できることから、より優れた意匠性を発揮できる。
【００４８】
また、ゴルフティー１によれば、凸表面１２ａがゴルフボールＢの表面形状に倣った曲面であり、凸表面１２ａがゴルフボールＢに密着するため、ゴルフボールＢをより安定させて支持できる。
【００４９】
また、ゴルフティー１によれば、載置片１２の縁が軸線Ｌに近い側において隣接する載置片（１２）と近接しており、軸線Ｌから遠い測において隣接する載置片（１２）から離れているため、載置表面部分１１が凹凸のある外形形状になり、載置表面部分１１側から見て華やかなイメージとなることから、より優れた意匠性を発揮できる。
【００５０】
また、ゴルフティー１によれば、ポリブチレンサクシネート（ＰＢＳ）系の生分解性プラスチック素材であるため、ゴルフ場で紛失してしまった場合でも自然分解可能であることから環境にやさしいものにできる。また、ゴルフティーとしての十分な強度を有するため、簡単に破損しないものにできる。
【００５１】
また、ゴルフティー１においては、生分解プラスチック素材として、少なくとも、ノーマルグレードの生分解性プラスチック素材と耐衝撃性グレードの生分解性プラスチック素材とがブレンドされていてもよく、その際、耐衝撃性グレードの生分解性プラスチック素材をノーマルグレードの生分解性プラスチック素材の５〜５０重量％にすればなおよい。そのように構成されたゴルフティー１によれば、ノーマルグレードの生分解性プラスチック素材のみの場合と比べ、多少成形性が犠牲となるものの、耐衝撃性グレードの成分により耐衝撃が高まりゴルフクラブによる衝撃を吸収しやすくなるため、より破損し難くできる。
【００５２】
（実施形態２）
図６は、実施形態２に係るゴルフティー１０１の斜視図である。
図７は、実施形態２に係るゴルフティー１０１の平面図である。
【００５３】
実施形態２のゴルフティー１０１は、材質を含め、基本的には実施形態１のゴルフティー１と同様の構成を有するが、載置部の載置表面部分の形態が実施形態１のゴルフティー１の場合と異なる。すなわち、図６及び７に示すように、実施形態１のゴルフティー１の載置部１０の載置表面部分１１が全体的にクローバーのように見える形態であるのに対し、載置部１０１の載置表面部分１１１が全体的には桜の花のように見える形態である。以下では、実施形態１と異なる載置部の形態のみ説明し、他の説明を省略する。
【００５４】
載置表面部分１１１は、軸線Ｌに対して回転対称に整列した５つの載置片１１２からなっている。すなわち、各載置片１１２は、隣接する載置片に対し、軸線Ｌを中心に７２°回転対称位置にある。各載置片１１２は、軸線Ｌに近い側の２つの直線状の縁（以下「内側の縁」と記載する。）と、軸線Ｌに遠い側の２つの円弧状の縁（以下「外側の縁」と記載する。）と、外側の縁間の凹状の縁と、が組み合わされ、桜の花弁形状の外形を有している。各載置片１１２は、内側の縁が隣接する載置片（１１２）の内側の縁とわずかな幅の溝を介して近接しており、外側の縁及び凹状の縁が隣接する載置片（１１２）から離れている。これにより、載置表面部分１１１は、５つの載置片１１２の円弧状の縁及び凹状の縁が繋がったような凹凸のある外形形状となっている。各載置片１１２は、凸表面１１２ａと凹表面１１２ｂとを有している。各載置片の凸表面１１２ａは、凹表面１１２ｂの全周囲を囲っており、ゴルフボールＢの表面形状に倣った曲面となっている。このような、桜の花弁形状の外形を有する載置片１１２からなる載置表面部分１１１は、全体的には桜の花に見える外観形状となっている（図７参照）。
【００５５】
載置部１１０の側面１１３は、なるべく応力集中しないよう、載置表面部分１１１の外形稜線から脚部２０の外形稜線にかけてなだらかに傾斜している（図６参照）。載置部１１０の側面１１３は、載置表面部分１１１の外形形状に倣って、一部凹凸形状となっている（図６参照）。載置部１１０の中央には、載置表面部分１１１側が開口する深穴１１４が形成されている（図６参照）。
【００５６】
このように構成されたゴルフティー１０１は、基本的には実施形態１のゴルフティー１と同様の構成であるため、実施形態１のゴルフティー１と同様、ゴルフティーとしての基本機能を有し、身に着けた際の見た目が良好なゴルフティーとなる。特に、ゴルフティー１０１によれば、載置表面部分１１１が５つの載置片１１２からなり、載置片１１２が桜の花弁形状の外形を有するため、載置表面部分１１１全体で桜の花のイメージを表現できることから、実施形態１の優れた意匠性とは異なった優れた意匠性を発揮できる。
【００５７】
以上、本考案を上記の実施形態に基づき説明したが、本考案は上記の実施形態に限定されるものではない。その趣旨を逸脱しない範囲において種々の態様において実施することが可能であり、例えば、次のような変形も可能である。
【００５８】
（１）上記実施形態において記載した構成要素の数、形状、位置、大きさ、材質等は例示であり、本考案の効果を損なわない範囲において変更することが可能である。
【００５９】
（２）上記した実施形態においては、載置片の内側の縁が直線状で、隣接する載置片の内側の縁とわずかな幅の溝を介して近接するものとして説明したが、本考案はこれに限定されるものではない。例えば、載置片の内側の縁が曲線であってもよい。また、例えば、溝を介さずに直接接していてもよい。
【００６０】
（３）上記した実施形態においては、各載置片の凸表面が凹表面の全周囲を囲うものとして説明したが、本考案はこれに限定されるものではない。凸表面が凹表面の周囲の１／２以上囲っていればよい。
【００６１】
（４）上記した実施形態においては、載置部の中央に深穴が形成されているものとして説明したが、本考案はこれに限定されるものではない。深穴が形成されていなくてもよい。
【００６２】
（５）上記した実施形態においては、脚部について、図面では側面に凹凸が無く描かれているが、本考案はこれに限定されるものではない。例えば、脚部には、地面への差し込み深さを把握できるよう、側面に段差が設けられていてもよいし、指標が形成されていてもよい。
【００６３】
（６）上記した実施形態においては、素材が生分解性プラスチックであるものとして説明しているが、本考案はこれに限定されるものではない。例えば、従来のゴルフティーと同様、ＡＢＳ等の樹脂素材であっても、上記した実施形態と同様に優れた意匠性を発揮するゴルフティーを構成することができる。ただし、本考案のゴルフティーは、外形が凹凸形状となるために、破損時に小さく欠けて紛失するリスクが従来の第１のゴルフティー（図８参照）よりも高いことから、生分解性プラスチック素材を採用することが好ましい。
【符号の説明】
【００６４】
１，１０１‥ゴルフティー、１０，１１０‥載置部、１１，１１１‥載置表面部分、１２，１１２‥載置片、１２ａ，１１２ａ‥凸表面、１２ｂ，１１２ｂ‥凹表面、２０‥脚部、Ｂ‥ゴルフボール、Ｌ‥軸線
【図１】
0003225338.tif 000003
【図２】
0003225338.tif 000004
【図３】
0003225338.tif 000005
【図４】
0003225338.tif 000006
【図５】
0003225338.tif 000007
【図６】
0003225338.tif 000008
【図７】
0003225338.tif 000009
【図８】
0003225338.tif 000010
【図９】
0003225338.tif 000011
【手続補正書】
【提出日】令和1年12月21日(2019.12.21)
【手続補正１】
【補正対象書類名】実用新案登録請求の範囲
【補正対象項目名】請求項６
【補正方法】変更
【補正の内容】
【請求項６】
前記載置片の縁は、前記軸線に近い側において隣接する載置片と近接しており、前記軸線から遠い側において前記隣接する載置片から離れていることを特徴とする請求項１〜４のいずれか一項に記載のゴルフティー。
【手続補正２】
【補正対象書類名】明細書
【補正対象項目名】００２３
【補正方法】変更
【補正の内容】
【００２３】
［６］本考案に係るゴルフティーにおいては、載置片の縁は、軸線に近い側において隣接する載置片と近接しており、軸線から遠い側において隣接する載置片から離れていることが好ましい。
【手続補正３】
【補正対象書類名】明細書
【補正対象項目名】００４９
【補正方法】変更
【補正の内容】
【００４９】
また、ゴルフティー１によれば、載置片１２の縁が軸線Ｌに近い側において隣接する載置片（１２）と近接しており、軸線Ｌから遠い側において隣接する載置片（１２）から離れているため、載置表面部分１１が凹凸のある外形形状になり、載置表面部分１１側から見て華やかなイメージとなることから、より優れた意匠性を発揮できる。